(57)【特許請求の範囲】
【請求項１】
搬送路上を搬送される紙葉類をガイドする上下一対の搬送ガイドと、
搬送される紙葉類の一側辺が衝接する基準ガイドと、
前記搬送ガイドの紙葉類の他側辺に臨む位置に設けた開口部において、軸方向の厚みが前記搬送ガイドの間隔以上ある側圧ローラを、前記搬送ガイドのガイド面とほぼ直角をなす支軸によって回動自在に支持するとともに、前記基準ガイドに遠近移動自在に支持し、かつ、前記基準ガイドに接近する方向に常時付勢するローラ支持手段と、
前記基準ガイドに対面するガイド面を備えるとともに、前記側圧ローラの外周面の一部が前記ガイド面から突出するように前記ローラ支持手段を支持し、かつ、前記基準ガイド及び前記ガイド面の間隔が調整可能となるように前記一対の搬送ガイドの間に取り付けられる支持体と、
前記支持体と一体的に設けられ、前記開口部において、前記上下の搬送ガイドのガイド面とほぼ面一のガイド面を有して紙葉類の他側辺の上面及び下面をガイドする上下一対の補助ガイドとを有し、
前記開口部は、前記基準ガイド及び前記支持体のガイド面の間隔の調整範囲に対応して前記補助ガイドが移動し得るように設けられていること、
を特徴とする紙葉類の幅寄せ機構。
【請求項２】
上下の補助ガイドのガイド面間距離を上下の搬送ガイドのガイド面間距離よりもわずかに小さくしたことを特徴とする請求項１記載の紙葉類の幅寄せ機構。
【発明の詳細な説明】
【０００１】
【発明の属する技術分野】
本発明は、側圧ローラによって紙葉類を基準ガイドに衝接して位置決めを行う紙葉類の幅寄せ機構に関する。
【０００２】
【従来の技術】
通帳やカード等の紙葉類に対してデータの読取りや印刷等の処理を行う装置は、それらの処理を紙葉類の正しい位置に対して行うため、搬送過程において紙葉類の幅方向の位置決めを行うための幅寄せ機構を有している。
図５は、紙葉類の幅寄せ機構の従来例を示す平面図であり、図６は、図５のＡ−Ａ断面図であり、図７は、図５のＢ−Ｂ断面図である。
図５及び図６において、１，２は、紙葉類Ｐをガイドする上下一対の搬送ガイドである。
搬送ガイド１の上側には、紙葉類Ｐに矢印Ｆ方向の搬送力を与える送りローラ４が駆動軸５に固着され、搬送ガイド２の下側には、紙葉類Ｐを送りローラ４に押圧するための破線で示す押えローラ６が設けられている。図５には、送りローラ４及び押えローラ６は、搬送方向Ｆに沿って及び紙葉類Ｐの幅方向に複数個設けられている。
【０００３】
搬送ガイド１，２には、送りローラ４及び押えローラ６の外周面を紙葉類Ｐに接触させるための窓部７が設けられている。押えローラ６は、窓部７から搬送路内側へ突出された搬送位置と、搬送路から退避された非搬送位置とに移動自在に設けられており、搬送位置では紙葉類Ｐを送りローラ４に押圧して搬送力を付与し、非搬送位置では、紙葉類Ｐから離間して挟持力及び搬送力の付与を解除するようになっている。
なお、紙葉類Ｐの搬送方向は、送りローラ４の回転方向を変えることによって逆方向とすることもできる。
搬送ガイド２には、そのガイド面と垂直方向に、かつ、搬送ガイド２の延長方向に沿ってハッチングで示した基準ガイド８が設けられている。この基準ガイド８は、紙葉類の一側辺Ｓ１を衝接させて幅方向の位置決めを行うためのものである。
【０００４】
搬送ガイド１，２には、紙葉類Ｐの他側辺Ｓ２に臨む位置において、後述する軸方向の厚みが搬送ガイド１，２の間隔よりも大きい側圧ローラ１２を移動させるために必要な空間を確保する開口部９が設けられている。
【０００５】
基準ガイド８に対して開口部９と同一側において、搬送ガイド１，２の間に取り付けられるガイドブロック１０は、紙葉類Ｐの他側辺Ｓ２に対面するガイド面１１を有している。ガイドブロック１０には、基準ガイド８に対してほぼ直角方向に延びる長孔１２が複数個設けられている。搬送ガイド１，２には、各長孔１２に対応する取付孔１３，１４が設けられている。ガイドブロック１０は、その長孔１２と搬送ガイド１，２の取付孔１３，１４とを挿通するねじ１５によって搬送ガイド１，２に固着されている。
したがって、ガイドブロック１０の取付位置を調整することにより、基準ガイド８及びガイド面１１の間隔を紙葉類Ｐの幅に合わせることができるようになっている。
【０００６】
図６に示すように、側圧ローラ１６は、アーム１７の一端において回動自在に支持されている。
アーム１７の中間部に開設されたアームの長手方向に延びるガイド孔１８，１９には、ガイドブロック１０に立設されたガイドピン２０，２１がそれぞれ挿通されているため、側圧ローラ１６及びアーム１７は、ガイド孔１８，１９の長手方向に沿って移動自在に支持されている。
基準ガイド８に近い方のガイドピン２０とアーム１７の他端２２との間には、引っ張りコイルばね等の付勢部材２３が張設されているため、側圧ローラ１６は、基準ガイド８に近接する方向に常時付勢されている。
また、側圧ローラ１６が最も基準ガイド８に近接した位置にあるときに、側圧ローラ１６の外周面の一部がガイドブロック１０のガイド面１１の延長面から突出するように、ガイドブロック１０に突設されたガイドピン２０，２１と、アーム１７のガイド孔１８，１９との位置が設定されている。
【０００７】
図５に示されているように、搬送ガイド１，２の開口部９の、搬送方向Ｆの上流側及び下流側の縁部は、それぞれ上方向及び下方向に傾斜されて曲げ部２４を形成している。この曲げ部２４は、紙葉類Ｐの他側辺Ｓ２の先端が浮き上がったり折れ曲がったりして変形していた場合に、その変形部分を搬送ガイド１，２のガイド面に円滑に案内することにより、変形部分が開口部９の縁部に衝突してジャムを生じることを防止している。
上述した、ガイドブロック１０、アーム１７、ガイドピン２０，２１及び付勢部材２３によって、側圧ローラ１６を支持する支持手段３０が構成されている。なお、図５においては、省略されているが、側圧ローラ１６及び支持手段３０は、搬送路に沿って複数個設けられている。
【０００８】
上記構成による紙葉類の幅寄せ機構の動作を説明する。紙葉類Ｐは、送りローラ４及び搬送位置に突出された押えローラ６により搬送ガイド１，２に沿って搬送方向Ｆに搬送される。ここで、紙葉類Ｐは、その他側辺Ｓ２が、基準ガイド８方向に常時付勢されている側圧ローラ１６の外周面に接触することにより、基準ガイド８方向に押圧力を受けつつ搬送される。次いで、押えローラ６を非搬送位置に退避させると、紙葉類Ｐに対する送りローラ４及び押えローラ６による挟持力が解除されて、側圧ローラ１６の押圧力によって、一側辺Ｓ１が基準ガイド８に衝接されて幅方向の位置決めがなされる。この後、再び送りローラ６を搬送位置に復帰させて紙葉類Ｐを搬送して印刷処理やデータ読取り処理がなされる。
【０００９】
また、上記構成によれば、ガイドブロック１０の取付位置を調整することによって、幅の異なる紙葉類に対応することができる。すなわち、ガイドブロック１０のガイド面１１と、基準ガイド８との間隔が、幅寄せしようとする紙葉類Ｐの幅よりも若干大きくなるように、かつ、側圧ローラ１６の外周面と基準ガイド８との最も狭い部分の間隔が紙葉類Ｐの幅よりも狭くなるように、ガイドブロック１０を搬送ガイド１，２に取付ればよい。
このとき、側圧ローラ１６の位置もガイドブロック１０の取付位置に応じて移動するから、上記開口部９は、側圧ローラ１６の移動し得る範囲に応じた広い面積を開口する必要がある。
【００１０】
【発明が解決しようとする課題】
以上のような従来機構にあっては、開口部９の面積を広くとらなくてはならないため、開口部９近傍の紙葉類Ｐに対して側圧ローラ１６の押圧力が作用すると、紙葉類Ｐの他側辺Ｓ２の先端が開口部９から外側（上面及び下面）に向かって逃げて膨らみ跳ね上がりやすい。特に、紙葉類Ｐが柔らかく押圧力に対して曲がりやすい性質を持っている場合には、開口部９に生じた紙葉類Ｐの膨らみによってジャムが生じるおそれがある。
本発明は、以上のような事情に鑑みてなされたものであり、その目的は、側圧ローラの移動空間を確保するための開口部の面積が広い場合であっても、ジャムを引き起こすことなく紙葉類の幅方向の位置決めを行うことができる紙葉類の幅寄せ機構を提供することにある。
【００１１】
【課題を解決するための手段】
本発明は、搬送路上を搬送される紙葉類をガイドする上下一対の搬送ガイドと、搬送される紙葉類の一側辺が衝接する基準ガイドと、前記搬送ガイドの紙葉類の他側辺に臨む位置に設けた開口部において、軸方向の厚みが前記搬送ガイドの間隔以上ある側圧ローラを、前記搬送ガイドのガイド面とほぼ直角をなす支軸によって回動自在に支持するとともに、前記基準ガイドに遠近移動自在に支持し、かつ、前記基準ガイドに接近する方向に常時付勢するローラ支持手段と、前記基準ガイドに対面するガイド面を備えるとともに、前記側圧ローラの外周面の一部が前記ガイド面から突出するように前記ローラ支持手段を支持し、かつ、前記基準ガイド及び前記ガイド面の間隔が調整可能となるように前記一対の搬送ガイドの間に取り付けられる支持体と、前記支持体と一体的に設けられ、前記開口部において、前記上下の搬送ガイドのガイド面とほぼ面一のガイド面を有して紙葉類の他側辺の上面及び下面をガイドする上下一対の補助ガイドとを有し、前記開口部は、前記基準ガイド及び前記支持体のガイド面の間隔の調整範囲に対応して前記補助ガイドが移動し得るように設けられていることを特徴としている。
上記構成によれば、紙葉類は、搬送ガイドに沿って搬送される。紙葉類は、その他側辺が、基準ガイドに近接する方向に常時付勢されている側圧ローラの外周面に接触することにより、押圧力を受けつつ搬送される。紙葉類は、その一側辺が基準ガイドに衝接されて幅方向の位置決め（幅寄せ）がなされる。
側圧ローラの紙葉類に対する押圧作用により、紙葉類の他側辺の先端が開口部から上面又は下面に向かって膨らみ跳ね上がろうとするが、搬送ガイドのガイド面と面一の補助ガイドのガイド面があるため、紙葉類の膨らみ及び跳ね上がりが防止される。
支持体には、ローラ支持手段及び補助ガイドが設けられており、側圧ローラは、その外周面の一部がガイド面から突出するようにローラ支持手段に支持されているため、ガイド面、側圧ローラ及び補助ガイドは、それぞれ互いの位置関係が固定されている。基準ガイド及びガイド面の間隔を紙葉類の幅に合わせるために、支持体の位置を調整すれば、補助ガイドは、それが紙葉類の他側辺の上面及び下面をガイドする適切な位置に調整される。
また、上下の補助ガイドのガイド面間距離を上下の搬送ガイドのガイド面間距離よりもわずかに小さくした場合には、紙葉類の他側辺の先端が搬送路厚みの中央方向に向けられる。したがって、上記他側辺の先端が開口部の搬送方向下流側の側縁部にひっかかることが防止される。
【００１２】
【発明の実施の形態】
次に、本発明の紙葉類の幅寄せ機構について図面を参照して説明する。図１は、本発明の紙葉類の幅寄せ機構の実施の形態を示す平面図であり、図２は、図１のＣ−Ｃ断面図であり、図３は、図１のＤ−Ｄ断面図であり、図４は、図１のＥ−Ｅ断面図である。なお、図１〜図４において、従来例を示す図５〜図７と同一または相当する部材には同一の符号を付し、その説明を省略する。
【００１３】
図１に示すように、本実施の形態の紙葉類の幅寄せ機構においては、従来機構と同様に、一対の搬送ガイド１，２には、紙葉類の他側辺Ｓ２に臨む位置に、側圧ローラ１６及び後述する補助ガイド４０，４１の移動空間を確保するための開口部９Ａが設けられている。
図１においては、省略されているが、側圧ローラ１６及び支持手段３０は、搬送路に沿って複数個設けられている。
【００１４】
図２〜図４に示すように、従来機構と違って、開口部９Ａ内には、紙葉類Ｐの他側辺Ｓ１の上面及び下面をガイドする、一対の補助ガイド４０，４１がガイドブロック１０Ａに固着されている。補助ガイド４０，４１は、搬送ガイド１，２のガイド面と面一のガイド面を有している。好ましくは、補助ガイド４０，４１のガイド面間の距離は、搬送ガイド１，２のガイド面間の距離よりもわずかに小さく設定されている。
なお、開口部９Ａの搬送方向の上流側及び下流側の縁部に隣接する補助ガイド４０，４１の端部には、搬送ガイドのガイド面に向かって傾斜し、両ガイド面を滑らかに連続させるための傾斜面４２が形成されている。
【００１５】
支持体を構成するガイドブロック１０Ａは、基準ガイド８に対面するガイド面１１を有し、かつ、ローラ支持手段３０及び補助ガイド４０，４１が固着されている。このガイドブロック１０Ａは、ガイド面１１と基準ガイド８との間隔が調整可能となるように一対の搬送ガイド１，２の間に取り付けられている。取付方法については、従来機構と同様であるため、説明を省略する。
また、基準ガイド８と、ガイドブロック１０Ａのガイド面１１との間隔を調整する際に、ガイドブロック１０Ａに固着されている補助ガイド４０，４１が搬送ガイド１，２の開口部９Ａに干渉しないように、開口部９Ａは、補助ガイド４０，４１が円滑に移動できるように、開口部９Ａ及び補助ガイド４０，４１前後両辺は、基準ガイド８と直角な線に沿って平行に設けられている。
また、側圧ローラ１６が、その外周面の一部がガイド面１１から突出するようにローラ支持手段３０によって支持されていることは従来機構と同様である。
【００１６】
上記構成による紙葉類の幅寄せ機構の動作を説明する。紙葉類Ｐは、送りローラ４及び搬送位置にある押えローラ６により搬送ガイド１，２に沿って搬送方向Ｆに搬送される。ここで、紙葉類Ｐは、その他側辺Ｓ２が、基準ガイド８に近接する方向に常時付勢されている側圧ローラ１６の外周面に接触することにより、押圧力を受けつつ搬送される。次いで、押えローラ６を非搬送位置に移動すると、紙葉類Ｐに対する送りローラ４及び押えローラ６による挟持力が解除され、側圧ローラ１６の押圧力によって、一側辺Ｓ１が基準ガイド８に衝接されて幅方向の位置決めがなされる。
【００１７】
この際、側圧ローラ１６の押圧力が紙葉類Ｐに作用するため、紙葉類Ｐの他側辺Ｓ２の先端が開口部９から上面又は下面に向かって跳ね上がろうとする。しかしながら、側圧ローラ１６の搬送方向の上流側から側方を通って下流側に至るまで連続する半円状の周辺が補助ガイド４０，４１によって覆われている。このため、開口部９において紙葉類Ｐの他側辺Ｓ２の先端が押さえ込まれて跳ね上がることが防止されるので、紙葉類Ｐのジャムが確実に防止される。
【００１８】
紙葉類Ｐの他側辺Ｓ２の先端が開口部９Ａ及び補助ガイド４０，４１間の段差を通過する際の動作について説明する。搬送方向上流側における段差において、紙葉類Ｐの他側辺Ｓ２の先端は、補助ガイド４０，４１の縁部に形成されている傾斜面４２によって円滑にガイドされて搬送ガイド１，２へ移動する。また、搬送方向下流側における段差において、紙葉類Ｐの他側辺の先端は、補助ガイド４０，４１のガイド面から、そのガイド面とほぼ面一である搬送ガイド１，２のガイド面へ移動するので、段差部分に衝突する等の搬送障害は生じない。したがって、先端に浮き上がりや折れ曲がり等の変形が生じた紙葉類Ｐに対する幅寄せ動作を行った場合においても、ジャムの発生を確実に防止することができる。
また、補助ガイド４０，４１のガイド面間距離を上下の搬送ガイドのガイド面間距離よりもわずかに小さくした場合には、紙葉類Ｐの他側辺Ｓ２の先端が搬送路厚みの中央方向に向けられる。したがって、他側辺の先端が開口部９Ａの搬送方向下流側の側縁部にひっかかることが防止される。
【００１９】
また、ガイドブロック１０Ａには、ローラ支持手段３０及び補助ガイド４０，４１が固着されており、側圧ローラ１６は、その外周面の一部がガイド面１１から突出するようにローラ支持手段３０によって支持されている。このため、ガイド面１１、側圧ローラ１６及び補助ガイド４０，４１は、それぞれ互いの位置関係が固定されている。したがって、基準ガイド８及びガイド面１１の間隔を紙葉類Ｐの幅に合わせるために、ガイドブロック１０Ａの位置を調整すれば、補助ガイド４０，４１は、それが紙葉類Ｐの他側辺Ｓ２の上面及び下面をガイドする適切な位置に調整される。
【００２０】
上述の実施の形態では、ガイドブロック１０Ａに対して補助ガイド４０，４１を固着しているが、ガイドブロック１０Ａと補助ガイド４０，４１とを一体的に設けてもよい。
【００２１】
【発明の効果】
以上詳述したように、本発明の紙葉類の幅寄せ機構によれば、紙葉類を基準ガイドに衝接する側圧ローラの移動空間を確保するために、搬送ガイドに設けられた開口部において、側圧ローラの押圧力によって生じる紙葉類の側辺の先端の跳ね上がりを補助ガイドによって押さえこむ。したがって、紙葉類の幅に応じて側圧ローラの移動空間を広く確保するために、広い面積の開口部が設けられていても、開口部において紙葉類の膨らみ及び跳ね上がりが生じないので、ジャムを確実に防止して紙葉類の幅方向の位置決めを行うことができる。
また、支持体には、ローラ支持手段及び補助ガイドが設けられており、側圧ローラは、その外周面の一部がガイド面から突出するようにローラ支持手段に支持されているため、ガイド面、側圧ローラ及び補助ガイドは、それぞれ互いの位置関係が固定されている。したがって、基準ガイド及びガイド面の間隔を紙葉類の幅に合わせるために、支持体の位置を調整すれば、補助ガイドは、それが紙葉類の他側辺の上面及び下面をガイドする適切な位置に調整される。
上下の補助ガイドのガイド面間距離を上下の搬送ガイドのガイド面間距離よりもわずかに小さくした場合には、紙葉類の側辺の先端が搬送路厚みの中央方向に向けられる。したがって、上記側辺の先端が開口部の搬送方向下流側の側縁部にひっかかることが防止される。
【図面の簡単な説明】
【図１】本発明の紙葉類の幅寄せ機構の実施の形態を示す平面図である。
【図２】図１のＣ−Ｃ断面図である。
【図３】図１のＤ−Ｄ断面図である。
【図４】図１のＥ−Ｅ断面図である。
【図５】紙葉類の幅寄せ機構の従来例を示す平面図である。
【図６】図５のＡ−Ａ断面図である。
【図７】図５のＢ−Ｂ断面図である。
【符号の説明】
１，２  搬送ガイド
８  基準ガイド
９Ａ  開口部
１０Ａ  ガイドブロック（支持体）
１１  ガイド面
１６  側圧ローラ
３０  ローラ支持手段
１７  アーム
１８，１９  ガイド孔
２０，２１  ガイドピン
２２  他端
２３  付勢部材
４０，４１  補助ガイド
Ｐ  紙葉類
Ｓ２  他側辺
【図１】
0003587953.tif 000002
【図２】
0003587953.tif 000003
【図３】
0003587953.tif 000004
【図４】
0003587953.tif 000005
【図５】
0003587953.tif 000006
【図６】
0003587953.tif 000007
【図７】
0003587953.tif 000008